(57)【要約】      （修正有）【課題】金糸を皮膚内部の一定深さの部分に植入するために用いる外科針であって、金糸等の糸を皮膚内部組織に通すときの傷を小さくするとともに、針本体に固着された糸が切断されにくい構造の外科針を提供する。【解決手段】外科針を、一端を尖鋭な刃部に形成した針本体２の他端に糸３ａ・３ｂを固着した外科針１であって、糸は基糸３１と金糸３２または白金糸３３とを撚り合わせて構成される。前記針本体２の他端には糸取付用の凹部２ｂが形成され、前記糸は、可撓性部材にて形成されるチューブ５を介して、前記凹部に挿入されている。【選択図】図３
2005304671.tif 000002
【特許請求の範囲】
【請求項１】
一端を尖鋭な刃部に形成した直線状の針本体の他端に糸を固着した外科針であって、
糸は基糸と金糸または白金糸とを撚り合わせて構成されることを特徴とする外科針。
【請求項２】
前記針本体の他端には糸取付用の凹部が形成され、
前記糸は、可撓性部材にて形成されるチューブを介して、前記凹部に挿入されていることを特徴とする請求項１に記載の外科針。
【請求項３】
前記針本体の他端には複数本の糸が固着されており、
一方の糸は基糸と金糸とを撚り合わせて構成され、
他方の糸は基糸と白金糸とを撚り合わせて構成されていることを特徴とする請求項１または請求項２に記載の外科針。
【請求項４】
前記基糸は、キトサンおよびポリグルコール酸の少なくとも何れか一方にて構成されることを特徴とする請求項１〜請求項３の何れかに記載の外科針。
【請求項５】
前記外科針は、糸を皮膚内部の真皮に一定の深さで植入する際に用いられることを特徴とする請求項１〜請求項４の何れかに記載の外科針。
【発明の詳細な説明】
【技術分野】
【０００１】
本発明は、一端を尖鋭な刃部に形成した針本体の他端に糸を固着した外科針に関し、特に、皮膚内部に金や白金等の貴金属糸を植入する美容術に用いられる外科針に関する。
【背景技術】
【０００２】
従来から、一端を尖鋭とした針の他端に糸を固着して構成された、縫合手術等に用いられる外科針は知られている。例えば特許文献１に記載される針のごとくである。
縫合手術用外科針の糸としては、木綿糸や絹糸等の天然繊維やナイロン等の合成繊維の他、生体組織によって吸収されるポリグリコール酸等が用いられている。
また、これらの糸は、縫合手術後には生体組織内に残されることとなるが、最終的には抜糸されて生体組織から取り除かれるか、生体組織に吸収されて消滅するものである。
このような、外科針は、病変部を切除する等の治療を行う場合だけでなく、皮膚を切開して引っ張りあげたり、傷跡の修正を行ったりする等の美容整形術を行う場合にも用いられる。
【０００３】
【特許文献１】特開平１０−３３７２９１号公報
【発明の開示】
【発明が解決しようとする課題】
【０００４】
一般的に、皮膚のしわやたるみ等を改善するための美容療法としては、化粧品や薬品を皮膚に塗布したり、美容整形術により皮膚を切開して伸ばしたりすることが行われているが、化粧品等の塗布を長期間行ったとしても、有効成分の皮膚内部への吸収はあまり望めず効果を期待できるものではない。また、皮膚を切開して伸ばした場合でも、皮膚内組織の老化の進行を止めたり遅らせたりすることはできない。
そこで、近年では、金糸を皮膚内部の一定深さの部分に植入して、金（Ａｕ）が備える生理作用により皮膚細胞を活性化して老化の進行を止め、皮膚のしわ、しみ、およびたるみ等を改善することが行われている。
前述の縫合手術用外科針は、このように金糸を植入して皮膚内部に長期間留めておく美容術に用いることは想定されておらず、金糸を皮膚内部の一定の深さに植入することは困難である。
そこで、本発明は、このような、金糸を皮膚内部の一定深さの部分に植入するために用いる外科針であって、金糸等の糸を皮膚内部組織に通すときの傷を小さくするとともに、針本体に固着された糸が切断されにくい構造の外科針を提供するものである。
【課題を解決するための手段】
【０００５】
上記課題を解決する外科針は、以下の特徴を有する。
即ち、請求項１記載の如く、一端を尖鋭な刃部に形成した直線状の針本体の他端に糸を固着した外科針であって、糸は基糸と金糸または白金糸とを撚り合わせて構成される。
これにより、糸を皮膚内部に通し入れるときの傷が小さくて済む。
また、糸を皮膚内部へ植入する場合に、基糸が金糸および白金糸のガイド糸としての役割を果たすこととなって、糸を安定して皮膚内部へ植入することが容易となっている。
【０００６】
また、請求項２記載の如く、前記針本体の他端には糸取付用の凹部が形成され、
前記糸は、可撓性部材にて形成されるチューブを介して、前記凹部に挿入されている。
これにより、を皮膚内部に通し入れる際に、糸が固着部近傍で切断されてしまうことを防止できる。
【０００７】
また、請求項３記載の如く、前記針本体の他端には複数本の糸が固着されており、
一方の糸は基糸と金糸とを撚り合わせて構成され、他方の糸は基糸と白金糸とを撚り合わせて構成されている。
これにより、糸を皮膚内部に植入した場合、金糸と白金糸との間に電界が生じて磁場が形成され、イオン活性や、活動電位の活性化や、能動輸送による神経細胞と細胞膜の静止電位の活性による生理作用として物質交換（代謝）をより高めることができるとともに、その効果を長期間にわたって維持することが可能となる。
【０００８】
また、請求項４載の如く、前記基糸は、キトサンおよびポリグルコール酸の少なくとも何れか一方にて構成される。
これにより、糸を皮膚内部へ植入した場合の、基糸および金糸や白金糸が皮膚内部に及ぼす生理的作用の効果を相乗的に向上させることが可能となる。
【０００９】
また、請求項５載の如く、前記外科針は、糸を皮膚内部の真皮に一定の深さで植入する際に用いられる。
これにより、植入された糸により、細胞への栄養補給、酵素補給、老廃物排泄を促進させて、細胞を蘇生させることが可能となる。また、免疫力および自然治癒力を高めることができる。さらに、細胞の活動を高めることができる。また、トラブルを改善して、組織機能の低下および老化を防ぎ、皮膚細胞を強化することができる。
【発明の効果】
【００１０】
本発明によれば、糸を皮膚内部に通し入れるときの傷が小さくて済む。
また、糸を皮膚内部へ植入する場合に、基糸が金糸および白金糸のガイド糸としての役割を果たすこととなって、糸を安定して皮膚内部へ植入することが容易となっている。
そして、細胞への栄養補給、酵素補給、老廃物排泄を促進させて、細胞を蘇生させることが可能となる。また、免疫力および自然治癒力を高めることができる。さらに、細胞の活動を高めることができる。また、トラブルを改善して、組織機能の低下および老化を防ぎ、皮膚細胞を強化することができる。
【発明を実施するための最良の形態】
【００１１】
次に、本発明を実施するための形態を、添付の図面を用いて説明する。
まず、外科針１の全体構成について説明する。
図１に示すように、本発明の外科針１は、針本体２の一端を尖鋭な刃部２ａに形成し、針本体２の他端に複数本の糸３ａ・３ｂを固着して構成されており、糸３ａ・３ｂを皮膚内部に植入するするためのものである。該糸３ａ・３ｂは可撓性チューブ５・５を介して針本体２に固着されている。
【００１２】
図２〜図４に示すように、糸３ａは、例えば、基糸３１と金糸３２とを撚り合わせて構成されており、糸３ｂは基糸３１と白金糸３３とを撚り合わせて構成されている。
金糸３２を構成する金（Ａｕ）は、展性・延性が極めて大きく、電気・熱の良導体であり、空気中・水中・体液中等で極めて安定な物質である。また、酸化剤によっても酸化されず、酸やアルカリに対しても極めて安定である。金は、このような性質から、医療材料として広く用いられている。
【００１３】
白金糸３３を構成する白金（Ｐｔ）も、空気中・水中・体液中等で極めて安定であり、熱や酸・アルカリに対しても強く耐食性に富んでいて、金に類似の性質を備える。ただ、金よりも硬度が高いことが特徴的である。白金も、このような性質により医療材料として用いられている。
【００１４】
基糸３１は、例えば、キトサンにて構成されている。キトサンは、Ｎ−アセチル−Ｄ−グルコサミンがβ（１−４）結合した直鎖型の多糖類であり、キチン質から脱アセチル化して抽出精製したものである。
このキトサンは、医療分野では人工皮膚、縫合糸、人工透析膜、人工じん帯、および薬剤用カプセル等に用いられており、細胞活性化、免疫力・自然治癒力増強作用、代謝促進、血糖値上昇抑制作用、発ガン性物質・放射性物質・重金属の除去作用、抗カビ・抗菌作用、血液浄化作用、および抗血栓作用などの生理作用を備えていることが種々の研究により認められている。
【００１５】
このような生理作用を備えるキトサンにて構成された基糸３１を金糸３２または白金糸３３と撚り合わせて糸３ａ・３ｂを構成することで、該糸３ａ・３ｂを皮膚内部へ植入した場合の、基糸３１、金糸３２、および白金糸３３が皮膚内部に及ぼす生理的作用の効果を相乗的に向上させることが可能となっている。
また、基糸３１を金糸３２および白金糸３３と撚り合わせることで、基糸３１が金糸３２および白金糸３３のガイド糸としての役割を果たすこととなって、糸３ａ・３ｂを安定して皮膚内部へ植入することが容易となっている。
【００１６】
基糸３１の材質としては、医療用の縫合糸等に良く用いられているＰＧＡ（ポリグリコール酸）を用いることもでき、ＰＧＡにキトサンを混入したものを用いることもできる。
ＰＧＡにて構成した糸３ａ・３ｂを皮膚内部に植入した場合、ＰＧＡがプラスイオンを発生する性質を備えているため、マイナス側に帯電したウイルスや細菌等を吸着して不活性化し、体外に排出する作用を発揮する。
また、基糸３１を、キトサンで構成した場合、ＰＧＡで構成した場合、およびＰＧＡにキトサンを混入して構成した場合の何れの場合も、基糸３１は時間の経過とともに、生体組織に吸収されて消滅し、金糸３２または白金糸３３のみが皮膚組織内に残ることとなる。
【００１７】
針本体２は、例えばステンレススチール等の金属にて構成されており、一端部に刃部２ａを備えた直線状の非傷性有刃針に圧延形成されており、糸３ａ・３ｂを皮膚内部に通し入れるときの傷を小さくするようにしている。
また、針本体２の他端部には、可撓性チューブ５・５を介して糸３ａ・３ｂを固着されており、糸３ａ・３ｂを皮膚内部に通し入れる際に糸が固着部近傍で切断されてしまうことがないようにしている。
【００１８】
次に、針本体２他端部の糸３ａ・３ｂ固着部の構造について説明する。
図２〜図４に示すように、針本体２の他端部には凹部２ｂが形成されており、各糸３ａ・３ｂはそれぞれ可撓性チューブ５を介して凹部２ｂに挿入されている。
針本体２の凹部２ｂが形成されている部分は、外面側から（図２においては上下方向に、図４においては左右方向に）圧縮プレスされてかしめられていて、これにより各糸３ａ・３ｂおよび可撓性チューブ５・５が針本体２に固着されている。
【００１９】
凹部２ｂに挿入される可撓性チューブ５は、可撓性を有した樹脂製のチューブであり、針本体２の凹部２ｂ内では糸３ａ・３ｂを覆い、さらに針本体２の端部から外側へ延出している。
この可撓性チューブ５により、糸３ａ・３ｂは凹部２ｂのかしめ部分、および凹部２ｂの端部周縁部で針本体２に直接触れることがなく、糸３ａ・３ｂが硬い金属製の針本体２と擦れたり、糸３ａ・３ｂが急角度に折れ曲がったりして、該糸３ａ・３ｂが針本体２との固着部で切断されてしまうことが防止されている。
【００２０】
なお、図２〜図４に示す外科針１では、糸３ａ・３ｂは、それぞれ別個の可撓性チューブ５に挿入されているが、図５、図６に示すように、糸３ａ・３ｂを一本の可撓性チューブ５１に一緒に挿入して外科針１を構成することも可能である。
【００２１】
次に、以上のごとく構成される外科針１の梱包形態について説明する。
図７に示すように、外科針１は、板状部材である固定シート６１上に載置されており、針本体２は上方から針固定パッド６２が貼り付けられて、糸３ａ・３ｂは上方から糸固定パッド６３が貼り付けられて、それぞれ固定シート６１上に位置固定されている。
このように、外科針１が載置固定された固定シート６１は、図８に示すように、減菌処理した状態でパック材６４にて密封パックされ、この状態で運搬、流通等が行われる。
パック材６４としては、例えば、アルミコーティングされた樹脂フィルム部材が用いられる。
【００２２】
次に、外科針１の使用方法について説明する。
例えば、図９に示すように、糸３ａ・３ｂを植入しようとする範囲（図９のＡ点からＢ点に至るまでの範囲）の一端（図９の場合はＡ点）から、外科針１を皮膚表面から一定深さの皮膚内部にまで差し入れ、一定の深さを保ったまま外科針１を進めた後に、他端（図９の場合はＢ点）から外科針１を抜き出す。
これにより、Ａ点からＢ点までの間の皮膚内部に糸３ａ・３ｂが植入されることとなる。外科針１を抜き出した後は、Ａ点およびＢ点から外へはみだしている余分な糸３ａ・３ｂを切断し、皮膚内部へ植入された部分のみを残す。
【００２３】
図１０に示すように、人体の皮膚は表皮、表皮の内側に位置する真皮、および真皮の内側に位置する皮下組織により構成されており、表皮は表層側から順に、角質層、顕粒層、有棘層、および基底層にて構成されている。また、真皮には、コラーゲン、ヒアルロン酸、および毛細血管等が存在している。
糸３ａおよび糸３ｂは、これらの皮膚のうち真皮に、それぞれ深さを若干異ならせて平行に植入される。図１０においては金糸３２を含む糸３ａが表層側に、白金糸３３を含む糸３ｂが深層側に配置されている。
【００２４】
糸３ａ・３ｂを構成する金糸３２および白金糸３３には、免疫抑制作用や代謝伝達物質の遊離抑制効果や抗炎症作用等が認められており、真皮内では金糸３２および白金糸３３はコラーゲン等と結合して安定させる作用を有する。また、タンパク質の分解を抑えたり、炎症を起こす物質に直接結合して不活性化させたりする作用をも有する。
これらの作用が皮膚のしわやたるみに効果的に働きかけられ、皮膚が引き締められ、引き上げられるとともに、皮膚の弾力が高まることとなる。さらに、皮膚の乾燥が抑えられ、血行が促進され、皮脂分泌のバランスが整えられる。
これにより、糸３ａ・３ｂが植入された皮膚の老化現象が抑えられ、さらには若返りを図ることが可能となる。
【００２５】
また、糸３ａ・３ｂを植入された皮膚組織内では毛細血管数が増え、毛細血管の隣接組織には脂肪細胞の集まりが存在する。脂肪細胞内にはヘパリン、ヒスタミン、およびセロトニンが合成・貯蓄されており、その合成・貯蓄の過程でアミン分泌が行われる。このアミン効果により凝血性が減少して血管壁の拡大がなされ、ヘパリン、ヒスタミン、およびセロトニンの浸透性が増す。
【００２６】
そして、若返り効果は、毛細血管数が増えた補強部分における血液供給の局所的な強化修復過程とコラーゲンの増殖過程とを行い続ける繊維芽細胞の機能の活性化、その繊維の発達および方向性、毛細血管網の発達増加等のリンパ系循環の促進、およびセリンプロテアーゼを始めとする酵素合成等といった活動電位の活性化により実現されるものである。
【００２７】
上述のような生理作用により、細胞核の中の微粒子を活動させて核酸を再生し、細胞への栄養補給、酵素補給、老廃物排泄を促進させて、細胞を蘇生させることが可能となる。
また、血液、リンパ液、細胞を刺激して、免疫力および自然治癒力を高めることができる。
さらに、細胞内外の電位差を正常にして細胞の活動を高めることができる。
また、トラブルを改善して、組織機能の低下および老化を防ぎ、皮膚細胞を強化することができる。
【００２８】
特に、本実施例のように、糸３ａに金糸３２を用い、糸３ｂに白金糸３３を用いることで、金糸３２と白金糸３３との間に電界が生じて磁場が形成される（図１０における破線の円の広がりを参照）。
これにより、イオン活性や、活動電位の活性化や、能動輸送による神経細胞と細胞膜の静止電位の活性による生理作用として物質交換（代謝）をより高めることができるとともに、その効果を長期間にわたって維持することが可能となる。
そして、上述の外科針１を用いて糸３ａ・３ｂを皮膚内に植入する美容療法は、従来の美容療法のように外科手術を行う必要がなく、体への負担が殆どない。
なお、本実施例では、糸３ａに金糸３２を、糸３ｂに白金糸３３を用いているが、糸３ａ・３ｂの両方に金糸３２を用いる、または両方に白金糸３３を用いることも可能である。
【００２９】
また、糸３ａ・３ｂは、例えば、図１１に示すように、頬の部分に植入を行う。この場合、複数本の糸３ａ・３ｂを、所定間隔を設けながら横方向および縦方向の網目状に植入することで、高い効果を得ることが期待できる。
その他に、額、鼻、唇、首、ヒップ、バスト、お腹、腕等といった、皮膚のしわやたるみ等が気になる箇所に糸３ａ・３ｂを植入することができる。
【００３０】
また、本実施例における外科針１は、複数本の糸３ａ・３ｂを備えているが、図１２、図１３に示すように、１本の糸３ａのみを備える仕様に構成することもできる。
この場合も、糸３ａに金糸３２または白金糸３３を用いることが可能であり、糸３ａの針本体２への固着構造も図１〜図４に示すものと同様であって、針本体２の凹部２ｂに可撓性チューブ５を介して糸３ａを挿入した状態で、該凹部２ｂをかしめることで、固着している。
【００３１】
なお、１本の糸３ａを備える仕様の外科針１の場合も、複数本の糸３ａ・３ｂを備える仕様の外科針１の場合と同様の作用を奏することが可能であり、組織機能の低下および老化を防ぎ、皮膚細胞を強化することができる。
【００３２】
さらに、複数の糸３ａ・３ｂを備えた仕様の外科針として、前記可撓性チューブ５を備えずに、針本体の他端部に糸３ａ・３ｂを直接固着する仕様の外科針を構成することができる。
例えば、図１４に示す外科針１１では、針本体２１の他端部に形成される糸固着孔２１ｂに、糸３ａ・３ｂを直接固着している。
また、図１５に示すように、一本の糸３ａを備えた外科針１２の場合も、針本体２２の他端部に形成される糸固着孔２２ｂに糸３ａを直接固着する仕様に構成することが可能である。
このように、糸３ａ・３ｂを針本体２１・２２の他端部に直接固着した外科針１１・１２により、皮膚内に植入された糸３ａ・３ｂも、前述の図１〜図４に示す外科針１により植入された糸３ａ・３ｂと同様の作用を奏することができる。
【図面の簡単な説明】
【００３３】
【図１】外科針を示す側面図である。
【図２】針本体他端部の糸固着部を示す平面断面図である。
【図３】針本体他端部の糸固着部を示す側面断面図である。
【図４】針本体他端部の糸固着部を示す背面図である。
【図５】糸固着部の第二実施例を示す側面断面図である。
【図６】糸固着部の第二実施例を示す背面図である。
【図７】外科針を固定シート上に固定した状態を示す斜視図である。
【図８】固定シート上に固定した外科針をパック材で密封した状態を示す斜視図である。
【図９】外科針により糸を皮膚内部に植入する様子を示す斜視図である。
【図１０】真皮に糸が植入された皮膚内部を示す断面図である。
【図１１】人体の頬に糸を植入した様子を示す図である。
【図１２】一本の糸を備えた外科針を示す側面図である。
【図１３】図１２に示す外科針の糸固着部を示す平面断面図である。
【図１４】複数の糸を針本体に直接固着させた外科針を示す側面図である。
【図１５】一本の糸を針本体に直接固着させた外科針を示す側面図である。
【符号の説明】
【００３４】
１  外科針
２  針本体
２ｂ  凹部
３ａ・３ｂ  糸
５  可撓性チューブ
３１  基糸
３２  金糸
３３  白金糸
【図１】
2005304671.tif 000003
【図２】
2005304671.tif 000004
【図３】
2005304671.tif 000005
【図４】
2005304671.tif 000006
【図５】
2005304671.tif 000007
【図６】
2005304671.tif 000008
【図７】
2005304671.tif 000009
【図８】
2005304671.tif 000010
【図９】
2005304671.tif 000011
【図１０】
2005304671.tif 000012
【図１１】
2005304671.tif 000013
【図１２】
2005304671.tif 000014
【図１３】
2005304671.tif 000015
【図１４】
2005304671.tif 000016
【図１５】
2005304671.tif 000017